(57)【要約】【課題】カードを使用して飲料を購入する、さらにマイカップを使用して飲料を購入する利用者がメリットを得ることができるカップ式自動販売機を提供することを目的とする。【解決手段】飲料販売に供するカップが内蔵カップかマイカップかを通知するマイカップ釦１４と、投入金額から販売金額を減算して残金がある場合には返金する金銭識別装置２６と、カードＤから読み出した残金から販売金額を減算した残金をカードＤに書き込むカードリーダ２７と、投入された現金で内蔵カップ２８ａでの飲料販売がされたときは現金販売価格で精算し、投入された現金でマイカップＣでの飲料販売がされたときはマイカップ現金販売価格で精算し、カードＤで内蔵カップ２８ａでの飲料販売がされたときはカード販売価格で精算し、カードＤでマイカップＣでの飲料販売がされたときはマイカップカード販売価格で精算をする制御部２０とを備えた。【選択図】        図３
2009217761.tif 000002
【特許請求の範囲】
【請求項１】
商品販売可能なカードまたは金銭の投入後の商品選択釦の押下に基づいて飲料調整手段で調製した飲料を販売口に載置したカップに注入して販売するカップ式自動販売機において、
前記飲料の販売に供するカップが内蔵カップか、マイカップかを判定するカップ判定手段と、
前記飲料の販売に供するカップが内蔵カップと判定されたときには内蔵カップを搬出するカップ供給手段と、
投入された金銭の金額を計数し、当該投入金額から販売金額を減算し、残金がある場合には返金する金銭識別装置と、
カードから読み出した残金から販売金額を減算し、当該減算した残金をカードに書き込むカードリーダと、
投入された金銭で内蔵カップでの飲料販売がされたときは現金販売価格で精算し、投入された金銭でマイカップでの飲料販売がされたときはマイカップ現金販売価格で精算し、カードで内蔵カップでの飲料販売がされたときはカード販売価格で精算し、カードでマイカップでの飲料販売がされたときはマイカップカード販売価格で精算をする制御手段と、を備えたことを特徴とするカップ式自動販売機。
【請求項２】
前記カップ判定手段は、前記販売口にカップが載置されたことを検出するカップ検出手段であり、当該カップ検出手段がカップを検出するとマイカップによる飲料販売と判定し、前記制御手段は前記カップ供給手段からの内蔵カップの搬出を行わないことを特徴とする請求項１に記載のカップ式自動販売機。
【請求項３】
前記カップ判定手段は、前記販売口にカップを載置したことを通知するマイカップ釦であり、当該マイカップ釦が押下されるとマイカップによる飲料販売と判定し、前記制御手段は前記カップ供給手段からの内蔵カップの搬出を行わないことを特徴とする請求項１に記載のカップ式自動販売機。
【発明の詳細な説明】
【技術分野】
【０００１】
本発明は、機内で調製した飲料をカップに注入して販売するカップ式自動販売機に関するものである。
【背景技術】
【０００２】
機内で調製した飲料を販売口に載置したカップに注入して販売するカップ式自動販売機は、使い捨てカップ（以下「内蔵カップ」と称する）をカップ供給装置に収容し、利用者が現金やカードを投入して所望する飲料に対応している飲料選択釦を押下すると飲料代金を清算し、カップ供給装置が収容している内蔵カップを搬出して販売口の所定位置に載置し、押下された飲料選択釦に対応させて調整した飲料を当該内蔵カップに注入して販売するようにしている。
近年、環境問題に対する関心が高まり、カップ式自動販売機もごみの削減が求められている。例えば、利用者が所有カップ（以下「マイカップ」と称する）を販売口の所定位置に載置して飲料選択釦を押下すると、この利用者により載置されたマイカップをカップ検出手段が検出して機内で調製した飲料を注入して販売し、飲料選択釦が押下された時点でカップ検出手段がカップを検出しないときは内蔵カップを搬出して飲料を注入するようにした、マイカップと内蔵カップの何れのカップにも対応して飲料の販売を可能としたカップ式自動販売機が開示されている（例えば、特許文献１参照）。
このようなカップ式自動販売機では、ごみの削減をより効果的にするために、マイカップでの飲料販売を促進するサービス機能が付加されている。例えば、マイカップの利用者に対し販売金額を割引することにより、マイカップによる飲料販売と、内蔵カップによる飲料販売とで、販売価格に差をつけるようにしている。
【０００３】
飲料の代金を現金で精算する場合、金銭識別装置に現金が投入されて飲料選択釦が押下された時点で、カップ検出手段が販売口にカップが載置されていないと検出したときには割引なしの販売価格で販売し、カップ検出手段が販売口にマイカップが載置されていることを検出していると、金銭識別装置に現金が投入されて飲料選択釦が押下された時点で、割引分の金銭を含む釣銭を返却口を通じて返金するようにしている。
また、飲料の代金をカードで精算する場合にも、カップ検出手段が販売口にマイカップが載置されていることを検出していると、飲料選択釦が押下された時点で、カードリーダは、カードから読み出した残金から割引した販売金額を減算し、この減算した残金をカードに書き込むようにしている。
【特許文献１】特開昭５９−２２１７９０号公報
【発明の開示】
【発明が解決しようとする課題】
【０００４】
従来、カップ式自動販売機の飲料販売価格は、現金で内蔵カップを使用したときの販売価格と、現金でマイカップを使用したときの割引販売価格の２通りの価格設定であり、カードを使用した飲料販売価格も現金でマイカップを使用したときの割引販売価格に合わせるようにしていた。
しかしながら、カップ式自動販売機の金銭識別装置は、１円硬貨や５円硬貨が使用できないため、金銭識別装置に投入された現金でマイカップ割引販売価格で販売する場合に販売価格を１０円単位で割引した金額に設定する必要があり、カードを使用した飲料販売価格も同じく１０円単位で割引した金額に設定されていた。このため、例えば、内臓カップでカードを使用した販売の割引額を１０円より小額にした５円割引と設定することができず、その分売上が減少する要因となっていた。
また、カードでマイカップを使用しての飲料購入も内蔵カップを使用した飲料購入と同じ割引販売価格で精算されるため、カードを使用する利用者はマイカップを使用して飲料を購入しても金銭的なメリットが得られなかった。
本発明は、上記実情に鑑みて、カードを使用して飲料を購入する、さらにマイカップを使用して飲料を購入する利用者が金銭的なメリットを得ることができるカップ式自動販売機を提供することを目的とする。
【課題を解決するための手段】
【０００５】
上記目的を達成するため、本発明の請求項１に係るカップ式自動販売機は、商品販売可能なカードまたは金銭の投入後の商品選択釦の押下に基づいて飲料調整手段で調製した飲料を販売口に載置したカップに注入して販売するカップ式自動販売機において、
前記飲料の販売に供するカップが内蔵カップか、マイカップかを判定するカップ判定手段と、
前記飲料の販売に供するカップが内蔵カップと判定されたときには内蔵カップを搬出するカップ供給手段と、
投入された金銭の金額を計数し、当該投入金額から販売金額を減算し、残金がある場合には返金する金銭識別装置と、
カードから読み出した残金から販売金額を減算し、当該減算した残金をカードに書き込むカードリーダと、
投入された金銭で内蔵カップでの飲料販売がされたときは現金販売価格で精算し、投入された金銭でマイカップでの飲料販売がされたときはマイカップ現金販売価格で精算し、カードで内蔵カップでの飲料販売がされたときはカード販売価格で精算し、カードでマイカップでの飲料販売がされたときはマイカップカード販売価格で精算をする制御手段と、を備えたことを特徴とする。
【０００６】
また、本発明の請求項２に係るカップ式自動販売機は、上記請求項１において、前記カップ判定手段は、前記販売口にカップが載置されたことを検出するカップ検出手段であり、当該カップ検出手段がカップを検出するとマイカップによる飲料販売と判定し、前記制御手段は前記カップ供給手段からの内蔵カップの搬出を行わないことを特徴とする。
また、本発明の請求項３に係るカップ式自動販売機は、上記請求項１において、前記カップ判定手段は、前記販売口にカップを載置したことを通知するマイカップ釦であり、当該マイカップ釦が押下されるとマイカップによる飲料販売と判定し、前記制御手段は前記カップ供給手段からの内蔵カップの搬出を行わないことを特徴とする。
【発明の効果】
【０００７】
本発明によれば、カードを使用して飲料を購入する、さらにマイカップを使用して飲料を購入する利用者が金銭的なメリットを得ることができるカップ式自動販売機を提供することが可能となる。
また、カップ式自動販売機のカップ飲料販売時のごみを削減することが可能となる。
【発明を実施するための最良の形態】
【０００８】
以下に添付図面を参照して、本発明に係るカップ式自動販売機の好適な実施の形態について詳細に説明する。なお、この実施の形態によりこの発明が限定されるものではない。
図１は、本発明の実施の形態に係るカップ式自動販売機の外観図である。ここで例示するカップ式自動販売機１は、利用者の選択に応じて機内で調製したホット飲料もしくはコールド飲料をカップに注入して販売口から提供するもので、機内には、カップ供給装置（カップ供給手段）、温水タンク、原料容器、コーヒー抽出機、製氷機、冷却水槽などを備えている。機器筐体（図示せず）に開閉可能に取り付けられた前面扉２の内部には、  投入された現金（金銭）の金額を計数して送信するとともに、当該投入金額から販売金額を減算し、残金がある場合には返金する金銭識別装置２６と、カードから読み出した残金を送信するとともに、当該残金から販売金額を減算し、この減算した残金をカードに書き込むカードリーダ２７と、が備えられている（図２参照）。また、前面扉２には、利用者が好みの飲料を選択するための飲料選択釦（商品選択釦）３が飲料展示部４に展示された複数の飲料見本５に対応して設けてある。さらに、現金を投入するための投入口６、投入した現金または釣銭を返却するための返却レバー７、返却口８、カード投入口９、金銭残高などを表示する表示部１０が設けられ、飲料が注入されたカップを販売する販売口１１にはカップに飲料を注入する複数のノズル１２と販売扉１３が設けられている。
【０００９】
図２は、カップ式自動販売機の制御ブロック図を示し、カップ式自動販売機１を制御する制御部２０は、中央処理装置としてのＣＰＵ２１と、ＣＰＵ２１の制御プログラムを格納するＲＯＭ（リード・オンリー・メモリ）２２と、ＣＰＵ２１の制御に必要な各種のプログラムやデータを随時記憶するＲＡＭ（ランダム・アクセス・メモリ）２３と、基準クロック発生部（図示せず）で発生するクロックをカウントして各種時間を計時するタイマー２４とから構成されている。また、制御部２０には、カップ式自動販売機１の各種設定データを入力するキーボード２５と、投入された現金の金額を計数して制御部２０に送信するとともに、当該投入金額から販売金額を減算し、残金がある場合には釣銭を返金する金銭識別装置２６と、利用者のカードＤから読み出した残金を制御部２０に送信するとともに、当該残金から販売金額を減算し、この減算した残金をカードＤに書き込むカードリーダ２７と、利用者が好みの飲料を選択するための飲料選択釦３と、利用者がマイカップ使用を選択するためのマイカップ釦１４（飲料の販売に供するカップが内蔵カップか、マイカップかを判定するカップ判定手段）と、マイカップ釦１４が押下されずに飲料選択釦３が押下されたときに収容している内蔵カップ２８ａを搬出して販売口１１の所定の位置に載置するカップ供給装置（カップ供給手段）２８と、押下された飲料選択釦３に対応させて機内に収容している原料から飲料を調整する飲料調整装置（飲料調整手段）２９とが接続されている。
【００１０】
図３は制御部２０の制御の第１の実施例を示すフローチャート図である。オペレーターがカップ式自動販売機１に備えられているキーボード２５で現金販売価格（例えば、１００円）、カード販売価格（例えば、９５円）、マイカップ現金割引額（例えば、１０円）、マイカップカード割引額（例えば、８円）を設定する（ステップＳ１０１）。
そして、利用者が販売口１１の所定の位置にマイカップＣを載置して、金銭識別装置２６に１００円硬貨を投入し（ステップＳ１０２：Ｙｅｓ）、マイカップ釦１４を押下し（ステップＳ１０３：Ｙｅｓ）、飲料選択釦３を押下すると（ステップＳ１０４：Ｙｅｓ）、マイカップ釦１４からマイカップ信号が、飲料選択釦３からは選択した飲料信号が制御部２０に送られ、制御部２０は現金販売価格（例えば、１００円）からマイカップ現金割引額（例えば、１０円）を引いた金額（例えば、９０円）で精算して残金（例えば、１０円）を金銭識別装置２６から返却口８に釣銭として返金し（ステップＳ１０５）、カップ供給装置２８は内臓カップ２８ａを搬出せずに（ステップＳ１０６）、飲料調整装置２９は押下された飲料選択釦３に対応させて機内に収容している原料から飲料を調整して販売口１１に載置されているマイカップＣにノズル１２から注入してカップ飲料の販売が完了する（ステップＳ１０７）。利用者は販売口１１の販売扉１３を開いて所望の飲料が注入されているマイカップＣと返却口８に返金された釣銭（例えば、１０円）を取り出す。
【００１１】
また、利用者が金銭識別装置２６に１００円硬貨を投入し（ステップＳ１０２：Ｙｅｓ）、マイカップ釦１４を押下せずに（ステップＳ１０３：Ｎｏ）、飲料選択釦３を押下すると（ステップＳ１０８：Ｙｅｓ）、制御部２０は現金販売価格（例えば、１００円）で精算し（ステップＳ１０９）、カップ供給装置２８は内臓カップ２８ａを搬出して販売口１１の所定の位置に載置し（ステップＳ１１０）、飲料調整装置２９は押下された飲料選択釦３に対応させて機内に収容している原料から飲料を調整して販売口１１に載置されている内蔵カップ２８ａにノズル１２から注入して販売が完了する（ステップＳ１１１）。利用者は販売口１１の販売扉１３を開いて所望の飲料が注入されている内蔵カップ２８ａを取り出す。
さらに、利用者が販売口１１の所定の位置にマイカップＣを載置して、カードリーダ２７にカードＤを投入すると、カードリーダ２７はカードＤから読み出した残金を制御部２０に送信し（ステップＳ１２２：Ｙｅｓ）、マイカップ釦１４を押下し（ステップＳ１２３：Ｙｅｓ）、飲料選択釦３を押下すると（ステップＳ１２４：Ｙｅｓ）、制御部２０はカード販売価格（例えば、９５円）からマイカップカード割引額（例えば、８円）を引いた金額（例えば、８７円）をカードＤの残金から減算してこの減算した残金をカードＤに書き込むことにより精算し（ステップＳ１２５）、カップ供給装置２８は内臓カップ２８ａを搬出せずに（ステップＳ１２６）、飲料調整装置２９は押下された飲料選択釦３に対応させて機内に収容している原料から飲料を調整して販売口１１に載置されているマイカップＣにノズル１２から注入するとカップ飲料の販売が完了する（ステップＳ１２７）。利用者は販売口１１の販売扉１３を開いて所望の飲料が注入されているマイカップＣとカードリーダ２７からカードＤを取り出す。
【００１２】
また、利用者がカードリーダ２７にカードＤを投入し（ステップＳ１２２：Ｙｅｓ）、マイカップ釦１４を押下せずに（ステップＳ１２３：Ｎｏ）、飲料選択釦３を押下すると（ステップＳ１２８：Ｙｅｓ）、制御部２０はカード販売価格（例えば、９５円）をカードＤの残金から減算してこの減算した残金をカードＤに書き込むことにより精算し（ステップＳ１２９）、カップ供給装置２８は内臓カップ２８ａを搬出して販売口１１の所定の位置に載置し（ステップＳ１３０）、飲料調整装置２９は押下された飲料選択釦３に対応させて機内に収容している原料から飲料を調整して販売口１１に載置されている内蔵カップ２８ａにノズル１２から注入して販売が完了する（ステップＳ１３１）。利用者は販売口１１の販売扉１３を開いて所望の飲料が注入されている内蔵カップ２８ａとカードリーダ２７からカードＤを取り出す。
なお、利用者がマイカップ使用を選択するためのマイカップ釦１４（飲料の販売に供するカップが内蔵カップか、マイカップかを判定するカップ判定手段）を前面扉２の所定の位置に設け、利用者のマイカップ釦１４の押下に基づいて制御部２０が飲料の販売に供するカップがマイカップと判定する実施の形態で説明しているが、販売口１１に載置されたマイカップＣを挟んで対向する位置にカップセンサー１５（カップ判定手段としてのカップ検出手段）を設け、このカップセンサー１５が出力する信号に基づいて制御部２０が飲料の販売に供するカップがマイカップと判定するようにしてもよい。カップセンサー１５は、赤外光を発光する発光部と、この赤外光を受光する受光部とを備えて構成され、マイカップＣが販売口１１の所定の位置に載置され、発光部が発光する赤外光がマイカップＣに遮断されて受光部に到達しないと、制御部２０はマイカップによる飲料の販売と判定し、販売口１１にカップが載置されていないと、受光部は発光部が発光する赤外光を受光して制御部２０は内蔵カップによる飲料の販売と判定する。
【００１３】
次に、図５のフローチャート図を用いて制御部２０の制御の第２の実施例を示す。オペレーターがカップ式自動販売機１に備えられているキーボード２５で現金販売価格（例えば、１００円）、カード販売価格（例えば、９５円）、マイカップ現金販売価格（例えば、９０円）、マイカップカード販売価格（例えば、８７円）を設定する（ステップＳ２０１）。
そして、利用者が販売口１１の所定の位置にマイカップＣを載置して、金銭識別装置２６に１００円硬貨を投入し（ステップＳ２０２：Ｙｅｓ）、マイカップ釦１４を押下し（ステップＳ２０３：Ｙｅｓ）、飲料選択釦３を押下すると（ステップＳ２０４：Ｙｅｓ）、マイカップ釦１４からマイカップ信号が、飲料選択釦３からは選択した飲料信号が制御部２０に送られ、制御部２０はマイカップ現金販売価格（例えば、９０円）で精算して残金（例えば、１０円）を金銭識別装置２６から返却口８に釣銭として返金し（ステップＳ２０５）、カップ供給装置２８は内臓カップ２８ａを搬出せずに（ステップＳ２０６）、飲料調整装置２９は押下された飲料選択釦３に対応させて機内に収容している原料から飲料を調整して販売口１１に載置されているマイカップＣにノズル１２から注入してカップ飲料の販売が完了する（ステップＳ２０７）。利用者は販売口１１の販売扉１３を開いて所望の飲料が注入されているマイカップＣと返却口８に返金された釣銭（例えば、１０円）を取り出す。
【００１４】
また、利用者が金銭識別装置２６に１００円硬貨を投入し（ステップＳ２０２：Ｙｅｓ）、マイカップ釦１４を押下せずに（ステップＳ２０３：Ｎｏ）、飲料選択釦３を押下すると（ステップＳ２０８：Ｙｅｓ）、制御部２０は現金販売価格（例えば、１００円）で精算し（ステップＳ２０９）、カップ供給装置２８は内臓カップ２８ａを搬出して販売口１１の所定の位置に載置し（ステップＳ２１０）、飲料調整装置２９は押下された飲料選択釦３に対応させて機内に収容している原料から飲料を調整して販売口１１に載置されている内蔵カップ２８ａにノズル１２から注入して販売が完了する（ステップＳ２１１）。利用者は販売口１１の販売扉１３を開いて所望の飲料が注入されている内蔵カップ２８ａを取り出す。
さらに、利用者が販売口１１の所定の位置にマイカップＣを載置して、カードリーダ２７にカードＤを投入すると、カードリーダ２７はカードＤから読み出した残金を制御部２０に送信し（ステップＳ２２２：Ｙｅｓ）、マイカップ釦１４を押下し（ステップＳ２２３：Ｙｅｓ）、飲料選択釦３を押下すると（ステップＳ２２４：Ｙｅｓ）、制御部２０はマイカップカード販売価格（例えば、８７円）をカードＤの残金から減算してこの減算した残金をカードＤに書き込むことにより精算し（ステップＳ２２５）、カップ供給装置２８は内臓カップ２８ａを搬出せずに（ステップＳ２２６）、飲料調整装置２９は押下された飲料選択釦３に対応させて機内に収容している原料から飲料を調整して販売口１１に載置されているマイカップＣにノズル１２から注入するとカップ飲料の販売が完了する（ステップＳ２２７）。利用者は販売口１１の販売扉１３を開いて所望の飲料が注入されているマイカップＣとカードリーダ２７からカードＤを取り出す。
【００１５】
また、利用者がカードリーダ２７にカードＤを投入し（ステップＳ２２２：Ｙｅｓ）、マイカップ釦１４を押下せずに（ステップＳ２２３：Ｎｏ）、飲料選択釦３を押下すると（ステップＳ２２８：Ｙｅｓ）、制御部２０はカード販売価格（例えば、９５円）をカードＤの残金から減算してこの減算した残金をカードＤに書き込むことにより精算し（ステップＳ２２９）、カップ供給装置２８は内臓カップ２８ａを搬出して販売口１１の所定の位置に載置し（ステップＳ２３０）、飲料調整装置２９は押下された飲料選択釦３に対応させて機内に収容している原料から飲料を調整して販売口１１に載置されている内蔵カップ２８ａにノズル１２から注入して販売が完了する（ステップＳ２３１）。利用者は販売口１１の販売扉１３を開いて所望の飲料が注入されている内蔵カップ２８ａとカードリーダ２７からカードＤを取り出す。
以上説明したように、商品販売可能なカードまたは現金の投入後の飲料選択釦３の押下に基づいて飲料調整装置２９で調製した飲料を販売口１１に載置したカップに注入して販売するカップ式自動販売機１に、飲料の販売に供するカップが内蔵カップ２８ａか、マイカップＣかを判定するマイカップ釦１４（カップセンサー１５）と、飲料の販売に供するカップが内蔵カップと判定されたときには内蔵カップ２８ａを搬出するカップ供給装置２８と、投入された現金の金額を計数し、当該投入金額から販売金額を減算し、残金がある場合には返金する金銭識別装置２６と、カードＤから読み出した残金から販売金額を減算し、当該減算した残金をカードＤに書き込むカードリーダ２７と、投入された現金で内蔵カップ２８ａでの飲料販売がされたときは現金販売価格で精算し、投入された現金でマイカップＣでの飲料販売がされたときはマイカップ現金販売価格で精算し、カードＤで内蔵カップ２８ａでの飲料販売がされたときはカード販売価格で精算し、カードＤでマイカップＣでの飲料販売がされたときはマイカップカード販売価格で精算をする制御部２０と、を備えたことにより、カードＤを使用して飲料を購入する、さらにマイカップＣを使用して飲料を購入する利用者が金銭的なメリットを得ることができるカップ式自動販売機１を提供することが可能となる。
【００１６】
また、カップ判定手段は、販売口１１にカップが載置されたことを検出するカップセンサー１５であり、当該カップセンサー１５がカップを検出するとマイカップＣによる飲料販売と判定し、制御部２０はカップ供給装置２８からの内蔵カップ２８ａの搬出を行わないことにより、カップ式自動販売機１のカップ飲料販売時のごみを削減することが可能となる。
さらに、カップ判定手段は、販売口１１にカップを載置したことを通知するマイカップ釦１４であり、当該マイカップ釦１４が押下されるとマイカップＣによる飲料販売と判定し、制御部２０はカップ供給装置２８からの内蔵カップ２８ａの搬出を行わないようにしても、カップ式自動販売機１のカップ飲料販売時のごみを削減することが可能となる。
【図面の簡単な説明】
【００１７】
【図１】本発明の実施の形態であるカップ式自動販売機を示した外観図である。
【図２】図１に示したカップ式自動販売機のマイカップ釦を適用した制御部を示したブロック図である。
【図３】図１に示したカップ式自動販売機の第１の実施例の制御部の制御を示したフローチャート図である。
【図４】図１に示したカップ式自動販売機のカップセンサーを適用した制御部を示したブロック図である。
【図５】図１に示したカップ式自動販売機の第２の実施例の制御部の制御を示したフローチャート図である。
【符号の説明】
【００１８】
１      カップ式自動販売機
３      飲料選択釦（商品選択釦）
６      投入口
７      返却レバー
８      返却口
９      カード投入口
１０      表示部
１１      販売口
１３      販売扉
１４      マイカップ釦（カップ判定手段）
１５      カップセンサー（カップ判定手段としてのカップ検出手段）
２０      制御部（制御手段）
２６      金銭識別装置
２７      カードリーダ
２８      カップ供給装置（カップ供給手段）
２８ａ    内蔵カップ
２９      飲料調製装置（飲料調製手段）
Ｃ      マイカップ
Ｄ      カード
【図１】
2009217761.tif 000003
【図２】
2009217761.tif 000004
【図３】
2009217761.tif 000005
【図４】
2009217761.tif 000006
【図５】
2009217761.tif 000007